(57)【要約】【課題】  天板と、回転可能な円形鋸ブレードを有し、天板に鋸ブレードを通す開口部が設けられた種類の電動鋸用モジュール式鋸ガードシステム（２０）を提供する。【解決手段】  本システムは、  上面（３８）と、この上面の近くに設けられた少なくとも一つの孔とを持つ、ブレードの後方で鋸に取り付けられたライビングナイフ（２２）と、ライビングナイフに取り外し可能に取り付けられたブレードガード及びキックバック防止機構（２４）であって、ライビングナイフに嵌着し、取り外し可能に取り付けられるように形成された取り付けチャンネル（４８）を含み、ブレードガード部分が取り付けチャンネルに枢着されており、キックバック防止部分が取り付けチャンネルに枢着された、ブレードガード及びキックバック防止機構と、取り付けチャンネルをライビングナイフに保持し、取り付けチャンネルをライビングナイフから取り外すために解放する、ライビングナイフの孔と係合するための移動可能のピン部材を含むレバー機構（２６）とを含む。【選択図】  図１
2010510915.tif 000002
【特許請求の範囲】
【請求項１】
天板と、回転可能な円形鋸ブレードとを有し、前記天板に前記鋸ブレードを通す開口部が設けられた種類の動力鋸用のモジュール式鋸ガードシステムであって、
前記鋸ガードシステムは、
前記ブレードの後方で前記鋸に取り付けられたライビングナイフを備え、前記ライビングナイフは、上面を有し、また、前記ブレードの本体の厚さよりも厚く且つ前記ブレードの切口の厚さよりも薄い所定の厚さを有し、前記ライビングナイフは、前記上面の近くに少なくとも一つの孔を備えており、
前記鋸ガードシステムは、また、前記ライビングナイフに取り外し可能に取り付けられたブレードガード及びキックバック防止機構を備えており、
前記ブレードガード及びキックバック防止機構は、
加工物を前記ブレードによって切断位置に移動できるように調節できる、前記ブレードの上方に設けられたブレードガード部分と、
加工物を前記ブレードで切断するときに加工物と係合し、加工物が逆方向に放出されないようにする抵抗を加えるように形成されたキックバック防止部分とを含み、
前記ブレードガード及びキックバック防止機構は、さらに、前記ライビングナイフに嵌着し且つ取り外し可能に取り付けられるように形成された取り付け部材を備え、
前記ブレードガード部分は、前記取り付け部材に枢動可能に取り付けられており、
前記キックバック防止部分は、前記取り付け部材に枢動可能に取り付けられており、
前記ブレードガード及びキックバック防止機構は、また、前記取り付け部材を前記ライビングナイフに保持し、前記取り付け部材を前記ライビングナイフから取り外すために解放するレバー機構を備えており、
前記レバー機構は、前記ライビングナイフの前記孔と係合するための移動可能なピン部材を含む、モジュール式鋸ガードシステム。
【請求項２】
請求項１に記載のモジュール式鋸ガードシステムにおいて、
前記取り付け部材は細長く、間隔が隔てられた脚部が中央部分によって互いに連結されたほぼＵ字形状断面を有する、モジュール式鋸ガードシステム。
【請求項３】
請求項２に記載のモジュール式鋸ガードシステムにおいて、
前記キックバック防止部分は、
前記取り付けチャンネルの前記脚部の各々の整合したキックバック孔に嵌着するシャフトと、
前記シャフトに取り付けられた、少なくとも一つの細長い枢動可能なキックバックアームとを含み、
前記アームは、切断作業中に前記加工物が逆方向に移動しないように前記加工物と係合する少なくとも一つの先が尖った面を有する、モジュール式鋸ガードシステム。
【請求項４】
請求項３に記載のモジュール式鋸ガードシステムにおいて、
前記キックバック防止部分は、前記取り付けチャンネルの両側に配置された一対の前記細長いアームを備える、モジュール式鋸ガードシステム。
【請求項５】
請求項３に記載のモジュール式鋸ガードシステムにおいて、
前記整合したキックバック孔は、前記取り付けチャンネルを前記ライビングナイフに取り付けるとき、前記取り付けチャンネルの長さに沿って前記ライビングナイフ孔からずらしてある、モジュール式鋸ガードシステム。
【請求項６】
請求項５に記載のモジュール式鋸ガードシステムにおいて、
前記ライビングナイフは、前記ライビングナイフ孔から間隔が隔てられたスロットを前記上面に有し、
前記スロットは、前記ライビングナイフ孔に向かって下方に延びており、
前記キックバック防止部分のシャフトは、前記取り付けチャンネルを前記ライビングナイフに取り付けるとき、前記スロットに嵌着するように形成されており、
前記取り付けチャンネルは、前記ピン部材が前記ライビングナイフの前記孔と係合したとき、前記ライビングナイフに係止される、モジュール式鋸ガードシステム。
【請求項７】
請求項２に記載のモジュール式鋸ガードシステムにおいて、
前記ブレードガード部分は、前記取り付けチャンネルの前記脚部の各々の整合したブレードガード孔に嵌着するシャフトと、前記シャフトに取り付けられた細長い枢動可能な支持ヒンジとを備える、モジュール式鋸ガードシステム。
【請求項８】
請求項７に記載のモジュール式鋸ガードシステムにおいて、
前記ブレードガード部分は、更に、前記支持ヒンジに枢着された上ガード部分を備え、前記上ガード部分は、前記ブレード上で前方に延びている、モジュール式鋸ガードシステム。
【請求項９】
請求項２に記載のモジュール式鋸ガードシステムにおいて、
前記レバー機構は、前記取り付けチャンネルの前記脚部の一方に枢着された細長い解放レバーを備え、
前記解放レバーには前記ピン部材が取り付けられている、モジュール式鋸ガードシステム。
【請求項１０】
請求項９に記載のモジュール式鋸ガードシステムにおいて、
前記レバー機構は、さらに、前記取り付けチャンネルを前記ライビングナイフに保持させるために前記レバー機構を付勢するためのばねを備える、モジュール式鋸ガードシステム。
【請求項１１】
請求項１０に記載のモジュール式鋸ガードシステムにおいて、
前記ばねは、前記ピン部材を付勢して前記ライビングナイフ孔と係合するように、前記解放レバーを前記取り付けチャンネルに向かって付勢する、モジュール式鋸ガードシステム。
【請求項１２】
請求項１１に記載のモジュール式鋸ガードシステムにおいて、
前記ばねは、一端が前記解放レバーと接触しており且つ他端が前記取り付けチャンネルと接触する、予負荷が加えられたトーションばねである、モジュール式鋸ガードシステム。
【請求項１３】
請求項１に記載のモジュール式鋸ガードシステムにおいて、
前記取り付けチャンネルは、上部分と、この上部分から下方に延びる間隔が隔てられた一対の脚部を含み、
前記ガードシステムは、更に、前記脚部間に位置決めされた少なくとも一つの取り外し可能なシムプレートを備え、
前記少なくとも一つのシムプレートは、好ましくは、前記取り付けチャンネルを前記ライビングナイフに比較的きつく嵌着するような厚さを有する、モジュール式鋸ガードシステム。
【請求項１４】
天板と、回転可能の円形鋸ブレードを有し、前記天板に前記鋸ブレードを通す開口部が設けられた種類の動力鋸用のモジュール式鋸ガードシステムであって、
前記モジュール式鋸ガードシステムは、
前記ブレードの後方で前記鋸に取り付けられたライビングナイフを備えており、前記ライビングナイフは、上面を有し、また、前記ブレードの厚さとほぼ同じ厚さを有し、前記ライビングナイフは、前記上面の近くに少なくとも一つの孔を有しており、
前記モジュール式鋸ガードシステムは、また、前記ライビングナイフに取り外し可能に取り付けられるように形成されたブレードガード及びキックバック防止機構を備えており、
前記ブレードガード及びキックバック防止機構は、ブレードガード部分と、加工物と係合してこの加工物が放出されないように抵抗を加えるように形成されたキックバック防止部分とを含み、
前記ブレードガード及びキックバック防止機構は、さらに、前記ライビングナイフに嵌着し且つ取り外し可能に取り付けられるように形成された取り付けチャンネルを備え、
前記ブレードガード部分は、前記取り付けチャンネルに枢動可能に取り付けられており、
前記キックバック防止部分は、前記取り付けチャンネルに枢動可能に取り付けられており、
前記ブレードガード及びキックバック防止機構は、前記取り付けチャンネルを前記ライビングナイフに解放可能に保持するレバー機構を備えており、
前記レバー機構は、前記ライビングナイフの前記孔と係合するための移動可能なピン部材を含む、モジュール式鋸ガードシステム。
【請求項１５】
請求項１４に記載のモジュール式鋸ガードシステムにおいて、
前記レバー機構は、保持位置と解放位置との間で移動可能であり、前記レバー機構は、さらに、前記レバー機構を前記保持位置に向かって付勢するためのばねを備える、モジュール式鋸ガードシステム。
【請求項１６】
請求項１４に記載のモジュール式鋸ガードシステムにおいて、
前記取り付けチャンネルは、前記ライビングナイフの頂部の長さの大部分に沿って延びており、間隔が隔てられた下方に延びる脚部を備えた頂部分を含み、これらの脚部の少なくとも一方には、前記ライビングナイフの前記孔と同一の広がりをもつ孔が設けられており、これによって、前記取り付けチャンネルを前記ライビングナイフに取り付けたとき、前記移動可能なピン部材が、前記ライビングナイフ孔と前記少なくとも一つの脚部の孔とに係合する、モジュール式鋸ガードシステム。
【発明の詳細な説明】
【技術分野】
【０００１】
本発明は、全体として電動工具に関し、更に詳細には鋸盤に関する。
【背景技術】
【０００２】
鋸盤は、代表的には、鋸盤のアンダーキャリッジ又は鋸盤の後部のいずれかに取り付けられた、又は鋸盤の上方の何らかの構造に取り付けられたガードシステムを備えている。これらの形体の各々において、代表的には、スプリッター即ちライビングナイフ、キックバック防止デバイス（キックバックドッグとも呼ぶ）、及びブレードを覆うブレードガードの三つの構成要素が設けられている。ライビングナイフは、切断作業中に加工物が捕捉されてしまった場合のキックバック、及びブレードの慣性により加工物が使用者に向かって投げ戻されることが起こり難くする安全デバイスである。ライビングナイフは、代表的には、ブレードガードアッセンブリのスプレッダー又はスプリッターと同様に機能するものと考えられているが、ブレードの頂部の上方に延びていない。
【０００３】
周知の市販の鋸盤ガード形体にも関わらず、最終使用者は、ライビングナイフを他の構成要素から分離できない。実施される切断の種類によっては、これが望ましい場合もある。
【発明の概要】
【発明が解決しようとする課題】
【０００４】
一般的に鋸盤で形成される二つの基本的な種類のカット、即ち貫通カット及び非貫通カットがある。貫通カット中、ブレードは、加工物の全厚を通って突出しており、この種のカットでは、現在の鋸盤ガード形体に関してほとんど問題がない。しかしながら、非貫通カットを形成する場合、使用者は、ガードシステムが、鋸盤のアンダーキャリッジ又は鋸盤の後部に取り付けられる種類である場合には、ガードシステムを取り外さなければならない。これらの取り付け形体は、代表的には、現在市販されているほとんどの持ち運び式モデル及び卓上型のモデルで使用されている。非貫通カット及びその他の特別の種類のカットの実行中にガードシステムを取り外す必要があるため、また、多くの場合、これを行う上で特別のレンチ等を必要とするため、多くの使用者は、ガードシステムを取り外したままにしておく。
【課題を解決するための手段】
【０００５】
本発明の好ましい実施例は、天板と、回転可能な円形鋸ブレードを有し、天板に鋸ブレードを通す開口部が設けられた種類の動力鋸用のモジュール式鋸ガードシステムに関する。
【０００６】
このモジュール式鋸ガードシステムは、ブレードの後方で鋸に取り付けられたライビングナイフを備え、
ライビングナイフは、上面を有し、また、ブレード本体の厚さよりも大きく且つブレードの切口（切溝）の厚さよりも小さい所定の厚さを有しており、
ライビングナイフは、上面の近くに少なくとも一つの孔を備えており、
前記システムは、このライビングナイフに取り外し可能に取り付けられたブレードガード及びキックバック防止機構を備え、
前記ブレードガード及びキックバック防止機構は、
加工物をブレードによって切断位置に移動できるように調節できる、ブレードの上方に設けられたブレードガード部分と、
加工物をブレードで切断するときに加工物と係合し、加工物が逆方向に放出されないようにする抵抗を加えるように形成されたキックバック防止部分とを含み、
前記ブレードガード及びキックバック機構は、更に、
ライビングナイフに嵌着し且つ取り外し可能に取り付けられるように形成された取り付け部材を含み、
前記ブレードガード部分は、取り付け部材に枢着されており、
前記キックバック防止部分は、取り付け部材に枢着されており、
前記ブレードガード及びキックバック機構は、
取り付け部材をライビングナイフに保持し、取り付け部材をライビングナイフから取り外すために解放するレバー機構を備えており、前記レバー機構は、ライビングナイフの孔と係合するための移動可能なピン部材を有している。
【図面の簡単な説明】
【０００７】
【図１】図１は、本発明のモジュール式ガードシステムの好ましい実施例の前右側の斜視図である。
【図２】図２は、幾つかの部分を除去した、図１に示すシステムの前左側の斜視図である。
【図３】図３は、図１に示すシステムの取り付けチャンネル及びキックバック防止機構の前右側の別の斜視図である。
【図４】図４は、図３に示す取り付けチャンネル及びキックバック防止機構の一部の拡大斜視図である。
【図５】図５は、図１及び図２に示すシステムのライビングナイフの右側の斜視図である。
【図６】図６は、作動位置のブレードガード機構ヒンジを示す、図１のシステムの右側の平面図である。
【図７】図７は、持ち上げた非作動位置のブレードガード機構ヒンジを示す、図１のシステムの右側の平面図である。
【図８】図８は、図１に示すブレードガード及びキックバック防止機構の一部の分解斜視図である。
【図９】図９は、ライビングナイフに嵌着し且つ取り外し可能に取り付けられるように形成された取り付けチャンネルを示す、図８に示すブレードガード及びキックバック防止機構の一部の右側の斜視図である。
【図１０】図１０は、取り付けチャンネルをライビングナイフに対して保持し、取り付けチャンネルを解放するためのレバー機構を示す、図８に示すブレードガード及びキックバック防止機構の一部の右側の斜視図である。
【図１１】図１１は、ライビングナイフの孔と係合するための移動可能なピン部材を示す、図８に示すブレードガード及びキックバック防止機構の一部の右側の平面図である。
【図１２】図１２は、ブレードガード機構ヒンジに取り付けられた上ブレードガード部分の概略側面図である。
【発明を実施するための形態】
【０００８】
本発明の好ましい実施例は、ライビングナイフ機構と、ブレードガード機構と、キックバック防止機構とを含むモジュール式ガードシステムを含む。これらの機構は全て、調節、取り付け、及び／又は取り外しを手早く行うことができる。しかしながら、ブレードガード機構又はキックバック防止機構を使用する場合には、ライビングナイフ機構は、全体に延長位置で鋸盤に取り付けられていなければならない。これは、ブレードガード機構又はキックバック防止機構がライビングナイフ機構に取り付けられているためである。
【０００９】
ライビングナイフ機構用の一つの迅速取り付け機構が、２００４年１１月２１日に出願された「電動鋸用モジュール式ガードシステム及び装置」という表題の米国特許出願第１１／２８４，２１４号に示されており且つ記載されている。出典を明示することにより、この出願に開示された全ての内容は本明細書の開示の一部とされる。本明細書中に説明する実施例は、この特許出願に示されており且つ説明されたのと非常に類似した下取り付け形体を持つライビングナイフを備えているため、迅速取り付け機構の説明はここでは行わない。
【００１０】
本システムの実施例は、モジュール式の形体を備えているため、最終使用者は、使用者の現在の代表的な選択でなく、鋸盤で行われる特定の仕事にライビングナイフ及びブレードガード及びキックバック防止機構を使用しようとするのであって、ライビングナイフ及びブレードガード及びキックバック防止機構等の構成要素の全てを単一のガードシステムの部分として取り付けたり取り外したりする。本発明の例示の実施例を鋸盤と関連して示すけれども、システムの機構は、この他の工具及び環境で使用してもよいということは理解されるべきであり、このような他の用途は、本発明の精神及び範囲内にあるものと考えられるべきである。例えば、本発明の実施例は、欧州等で販売されているコンボ鋸及びフリップ鋸として周知の鋸で使用してもよい。
【００１１】
本発明の好ましい実施例は、モジュール式設計であるため、ライビングナイフ機構をブレードガード及びキックバック防止機構とともに取り外すことができるけれども、この設計は、このような取り外しを推奨しようとするものではない。実際には、これらの機構を、可能である限りいつでも使用することが推奨される。しかしながら、実際、過去数十年に亘り、当業者及び木工作業員は、例えばプランジカット、コーブカット、及びディドー（大入れ）カットを含む特殊カットの形成に、鋸盤を使用しようとし、そして実際に使用してきた。プランジカットは、ブレードを引っ込めた状態の鋸に加工物を置き、モータを賦勢し、ブレードを上昇し、加工物のある程度中間に切削部を形成することによって形成できる。ディドーカットは、広幅の切削部を形成するディドーブレードで形成されるカットであり、多くの場合、スロット即ち非貫通カットを加工物に切削するのに使用される。コーブカットは特殊な非貫通カットであり、加工物をブレードを横切って所定の角度で移動する（及びパス毎に１／８インチ又はそれ以下の深さしか切削しない）ために、何らかの種類のジグによって加工物を案内する。これによって、ブレードの湾曲を使用し、切削を行い、加工物に凹状表面を形成する。
【００１２】
これらの特殊カットは、公知の従来のライビングナイフ、ブレードガイド、及びキックバックドッグが取り付けられた状態では形成できない。当業者及び木工作業員は、このような特殊な仕事を行うためにこれらを取り外すため、本発明の好ましい実施例は、多くの従来の設計の欠点の多くを解決するように形成されている。一つの重要な特徴は、上文中に説明した特殊カットのうちの幾つかを形成する上で、ライビングナイフ機構を完全に取り外す必要がないということである。例えば、ディドーカットを行う上で、取り外すことを必要としない。コーブカットを行うためには、カットを非常に深くまで行う場合には、取り外す必要があるかもしれない。このことはプランジカットについても同様である。ブレードガード及びキックバック防止機構をライビングナイフから取り外した場合には、ライビングナイフをじゃまにならないところに容易に引っ込めることができる。このような特殊カットを完成した後、ライビングナイフを、ブレードガード機構及びキックバック防止機構を手早く取り付けることができる、その延長位置に容易に調節できる。調節自在のライビングナイフの別の利点は、ブレードに対して整合した状態を維持するということである。従って、その延長位置に合わせて調節するとき、再整合を行う必要がない。
【００１３】
次に、添付図面のうち、特に図１乃至図８を参照すると、ここには、全体に参照番号２０を付したモジュール式鋸ガードシステムの主部が示してある。これは、ライビングナイフ２２と、全体に参照番号２４を付したブレードガード及びキックバック防止機構とを含む。ブレードガード及びキックバック防止機構２４は、ライビングナイフ２２への取り付け及びライビングナイフからの取り外しを容易にできる迅速解放アッセンブリ２６を有する。
【００１４】
ライビングナイフ２２は調節可能であり、ブレードに対する高さを変えることができるように調節できる。ライビングナイフ２２を標準的なガードとして使用する場合には、ブレードガード及びキックバック防止機構２４が、ライビングナイフ２２に取り付けられる。この場合、モジュール式鋸ガードシステム２０は、当業者に周知のように、盤の上面Ｔ（図６参照）の下に配置された指定の取り付けポスト（図示せず）に容易に取り付けられ、アンダーキャリッジマウントを備えている場合、ブレードの移動に従って上下いずれかに移動し、又は後方工具取り付け位置にある場合には、盤の上面に対して所定位置にとどまる。
【００１５】
モジュール式鋸ガードシステム２０をスプリッターとして使用する場合には、迅速解放アッセンブリ２６を使用することによって、ブレードガード及びキックバック防止機構２４を手早く取り外すことができ、鋸は、その場合、ライビングナイフ２２により追加の安全性が提供された状態で、標準的な貫通カットを行うことができる。幾つかのカットでは、ブレードガード及びキックバック防止機構２４を取り外すのが望まれる。といのは、オペレータが目視により更によく案内することが必要とされるためである。また、カットが行われる材料にキックバックアームによって望ましからぬ擦り傷が付けられたり痕が残ったりしないようにするためである。この位置では、ライビングナイフ２２は、ブレードの真後ろにあり、ブレードの頂部よりも高い。
【００１６】
直線的に移動するアンダーキャリッジマウントのみ用のライビングナイフとして使用する場合、ブレードガード及びキックバック防止機構２４をライビングナイフ２２から取り外し、ライビングナイフ２２を中間位置に取り付ける。この中間位置では、これは、セパレータ又はスプリッターでなく、従来のライビングナイフとして作動する。この位置では、ライビングナイフの頂部は、好ましくは３ｍｍ乃至５ｍｍの距離だけ、ブレードの上縁部即ちブレードの範囲の下にある。この位置では、使用者には、ライビングナイフが、切断した加工物の二つの部分がブレードの後方で互いに閉じないようにするスプリッターとして作動するという、ライビングナイフの追加の安全性が提供される。カットした加工物の二つの部分がブレードの後方で互いに閉じると、ブレードが結着したりキックバック状態が発生したりする。更に、ライビングブレード機構の頂部が、部分切断線に食い込む非貫通カット態様でも使用できる。これに関し、ライビングナイフ２２は、モータ−アーバーギヤボックスアッセンブリ（図示していないが、当業者に周知である）に取り付けられるということは理解されるべきである。モータ−アーバーギヤボックスアッセンブリは、ブレードを駆動し、垂直に並びに角度をなして調節可能である。モータ−アーバーギヤボックスアッセンブリの変化に従ってライビングナイフ２２の高さ及び角度が変化するため、ライビングナイフ２２の位置は、ブレードに対して一定である。
【００１７】
ライビングナイフ２２は、好ましくは鋼製打抜部品であり、図５に示すように、細長い全体に湾曲した薄いベース部分を有する。ライビングナイフ２２は中央スロット３０を備えており、中央スロット３０は、底部からその高さの中央部分まで延びている。ライビングナイフ２２を鋸の取り付けポストに取り付けるため、スロット３０の両側に二つの孔３２及び３４が設けられている。ナイフ２２は、更に、そのほぼ平らな上面３８の近くに位置決めされた孔３６と、全体に参照番号４０を付したスロットとを備えている。このスロット４０は、開口部を形成する垂直部分４２を有している。この垂直部分は、ブレードガード及びキックバック防止機構２４の後端を保持するためのシェルフ（棚状部分）４６を形成する前方に（即ちブレードに向かって）延びる部分４４と合わさる。
【００１８】
これに関し、及び図１乃至図４、図６、及び図７を参照すると、ブレードガード及びキックバック防止機構２４は、細長いＵ字形状の取り付けチャンネル４８を有する。この取り付けチャンネル４８は、頂部分５０と、この頂部分から下方に延びる間隔が隔てられた脚部５２及び５４とを含む。
【００１９】
図９に最もよく示すように、脚部５４から延びる延長部５６は、横方向第１部分５８と、垂直部分６０と、戻り部分６２とを有し、横方向第１部分５８及び戻り部分６２には、ヒンジピンを受け入れるための孔６４が設けられている。第２延長部６６が、脚部５４から外方に及び次いで垂直方向に延びている。第２延長部６６には、脚部５４及び５２の孔７０と整合した孔６８が設けられている。孔６８及び７０は、チャンネル４８をライビングナイフ２２に係止するための係止ピンを受け入れるために設けられている。キックバックアームに取り付けるための孔７１が、各脚部５２及び５４に設けられている。ブレードガード及びキックバック防止機構２４のブレードガード部分を枢動可能に支持するため、孔７２が設けられている。脚部５２及び５４は、湾曲した端部分７４を有する。湾曲した端部分７４は、ブレードガードを非保護、非作動位置まで上方に移動するときに、プレートガードヒンジ７８の移動を制限するための横方向ストップ面７６で終端する。
【００２０】
以上から明らかなように、及び図３に最もよく示すように、Ｕ字形状チャンネル４８は、プレートガードヒンジ７８を支持する。このプレートガードヒンジ７８は、下取り付け部分８０を有している。この下取り付け部分８０は、間隔が隔てられた二つの脚部８２を有し、これらの脚部には、一対の円筒形ブッシュ８４を受け入れるための孔が設けられている。円筒形ブッシュ８４は、これらの孔及び側壁５２及び５４の孔７２に嵌着する。ブッシュ８４は、好ましくは、ブッシュの孔内に設置されたリベット８６によって互いに保持される。これらのブッシュの縮径部分は、取り付けチャンネル４８の孔７２に締り嵌めするような大きさを備えている。ヒンジ７８は、一対の横方向フランジ８８を有している。一対の横方向フランジ８８は、上ガード９２（図１２参照）を取り付けるための、枢動を可能にする、取り付けピン、リベット、ねじ、ボルト、又は他の連結手段（図示せず）を受け入れる大きさの孔９０を有している。上ガード９２は、ヒンジ７８を上ガード９２に取り付けるためのリベットやボルト等のコネクタを受け入れるための孔９４を有する。上ガード９２は、好ましくは、透明なポリカーボネート又は他のプラスチック材料から形成され、切断作業中にブレードを覆う。
【００２１】
迅速解放アッセンブリ２６により、ライビングナイフ２２へのＵ字形状チャンネル４８の取り付け及び取り外しを容易に且つ手早く行うことができる。図１、図３、図４、図１０、及び図１１を参照すると、迅速解放アッセンブリ２６は、オペレータに対してハンドルを提供する自由端部分１０４を持つ解放レバー１０２を含む。このレバー１０２の取り付け端は、間隔が隔てられた二つの取り付け部分１０６を備えている。これらの取り付け部分１０６の各々には、解放レバー１０２をＵ字形状チャンネル４８に枢着するヒンジピン１１０を受け入れるための孔１０８が設けられている。解放レバー１０２の端部間の中間には、細長いスロット１１２が設けられており、ここに解放ピン１１４が設置される。
【００２２】
図１１に最もよく示すように、解放ピン１１４は縮径部分１１６を有し、この縮径部分１１６には、係止ピン１２０をプレス嵌めする孔１１８が設けられている。縮径部分１１６は、解放レバー１０２の内面と接触する肩部１２２を形成する。解放ピン１１４は、係止位置にある場合には、孔６８及び７０に位置決めされる。しかしながら、解放レバー１０２をライビングナイフ２２から遠ざかる方向に引っ張ると、解放ピン１１４は、ライビングナイフ２２の孔３６と係合した状態から外れる。
【００２３】
ブレードガード及びキックバック防止機構２４が、ライビングナイフ２２に取り付けるられている場合には、迅速解放アッセンブリ２６は、ライビングナイフ２２に固定された状態に保持されるように偏倚又は押圧される。図４及び図１０に最もよく示すように、これは、トーションばね１２４によって行われる。このトーションばね１２４は、一端が側壁５４に圧接されており、他端が解放レバー１０２のブリッジ部分１２８に偏倚されている。
【００２４】
キックバック防止機能は、一対のアーム１３０によって提供される。一対のアーム１３０には、下面に一つ又はそれ以上の尖端１３５が設けられている。アーム１３０は尖端１３５が加工物と係合することによって、キックバック状態が生じた場合に、加工物がオペレータに向かっての戻りを防止することができる。アーム１３０は、ブッシュ１３２を中心として枢動可能である。リベット１３４が、二つのブッシュ１３２間に設置されている。図８に最もよく示すように、右ブッシュ１３２は、縮径左部分１３３を有する。縮径左部分１３３は、チャンネル４８の脚部５２及び５４の孔７１と、プレート１４２及び１４４の開口部とに、ぴったりと嵌着する大きさであることが好ましい。縮径左部分１３３の直径は、更に、ライビングナイフ２２のスロット４０の、垂直部分４２の幅と、水平部分４４の高さと一致する。縮径左部分１３３の長さは、脚部５２及び５４間の隙間を横切って延び、両脚部の孔７１に着座するのに十分となっている。別の態様では、ブッシュ１３２並びにブッシュ８４は、連結ピンを使用せずに互いにプレス嵌めできるように相補的構造とすることもできる。
【００２５】
キックバックアーム１３０の一端には、孔１３６が設けられており、この孔１３６から遠ざかる方向に耳たぶ状の端部１３８が延びている。耳たぶ状の端部１３８は、ストップピン１４０と係合することによって、アーム１３０の下方への移動を制限することができるように形成されている。アーム１３０の孔１３６は、円筒形ブッシュ１３２に嵌着する大きさを備えている。更に、複数のトーションばね（図示せず）が設けられており、これらのトーションばねは各ブッシュ１３２の周囲に嵌着している。トーションばねの一端は、ストップピン１４０に圧接されており、反対端は、各アーム１３０の後縁部に圧接している。
【００２６】
ブレードガード及びキックバック防止機構２４をライビングナイフ２２に取り付けようとする場合には、チャンネル４８を平らな部分３８上に置き、脚部５２と５４との間を延びるブッシュの縮径左部分１３３を、スロット４０に嵌着し、水平部分４４内に前方に移動する。その結果、ブッシュの縮径左部分１３３は、シェルフ４６によって捕捉状態に保持される。ブッシュの縮径左部分１３３がこの前方位置にあるとき、迅速解放アッセンブリ２６の解放ピン１１４は、ライビングナイフ２２の孔３６と整合し、解放ピン１１４を該孔３６に挿入することにより、ブレードガード及びキックバック防止機構２４を所定位置にロック又は係止できる。チャンネル４８は、オペレータがハンドル１０４をチャンネル４８から遠ざかる方向に引っ張ってピン１１４をライビングナイフ２２から外さない限りあるいは外すことができるまで、水平に着座しないということは理解されなければならない。チャンネル４８が適正に着座した後、オペレータはハンドル１０４を解放でき、ばね１２４がピン１１４を孔７０及び３６に入り込む。
【００２７】
ブレードガード及びキックバック防止機構２４を取り外すには、オペレータは、ハンドル１０４を外に引っ張ってピン１１４を孔３６から取り外すだけでよく、これによりブレードガード及びキックバック防止機構２４を後方に（即ち、例えば図１に示すように右方に）摺動でき、その結果、ブッシュ１３２がシェルフ４６から外れ、ブレードガード及びキックバック防止機構２４を、ライビングナイフ２２から分離できる。
【００２８】
ライビングナイフ２２の厚さは、ブレード本体の厚さよりも厚くブレードの切口又は切溝（鋸ブレードが形成する切削部の幅）の厚さよりも薄い所定の厚さにするのが望ましい。本発明の好ましい実施例のブレードガード及びキックバック防止機構２４により、様々な厚さのナイフを使用する場合に、上ガードヒンジ７８、上ガード９２、及びキックバックアーム１３０をＵ字形状チャンネル４８とともに使用できる。これは、脚部５２及び５４の内側に位置決めされたシム１４２及び１４４を使用することによって達成される。これらのシムは、側壁５２及び５４の孔に嵌着する止めねじ（図示せず）によって保持され、様々な厚さのライビングナイフ２２を受け入れるようにシム１４２及び１４４間の間隔を位置決めするように調節できる。シムには所定の大きさの孔が設けられており、これらの孔は、システムの機能性及び作動性が損なわれないように、必要な場合に脚部５２及び５４の孔と整合する。
【００２９】
本発明の様々な実施例を図示し説明したが、この他の変形、代替、及び変更は、当業者には明らかであるということは理解されるべきである。このような変形、代替、及び変更は、添付の特許請求の範囲から決定されるべき本発明の精神及び範囲から逸脱することなく行うことができる。
【符号の説明】
【００３０】
２０  モジュール式鋸ガードシステム
２２  ライビングナイフ
２４  ブレードガード及びキックバック防止機構
２６  迅速解放アッセンブリ
３０  中央スロット
３２、３４、３６  孔
３８  上面
４０  スロット
４６  シェルフ
４８  取り付けチャンネル
５０  頂部分
５２、５４  脚部
５６  延長部
５８  横方向第１部分
６０  垂直部分
６２  戻り部分
６４  孔
６６  第２延長部
６８、７０  孔
【図１】
2010510915.tif 000003
【図２】
2010510915.tif 000004
【図３】
2010510915.tif 000005
【図４】
2010510915.tif 000006
【図５】
2010510915.tif 000007
【図６】
2010510915.tif 000008
【図７】
2010510915.tif 000009
【図８】
2010510915.tif 000010
【図９】
2010510915.tif 000011
【図１０】
2010510915.tif 000012
【図１１】
2010510915.tif 000013
【図１２】
2010510915.tif 000014
【国際調査報告】
2010510915.tif 000015
2010510915.tif 000016